【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
使用者を含む被写体を撮影するカメラを有する撮影部と、
上記撮影部とそれぞれ異なる場所に配置され、上記撮影部で撮影された撮影画像に対する編集入力を受け付ける編集入力受付手段を有する第１編集部および第２編集部とを備えた写真プリント提供装置であって、
上記第１編集部と第２編集部のいずれか一方のみを使用可能とするよう設定する設定手段を備えたことを特徴とする写真プリント提供装置。
【請求項２】
上記設定手段は、さらに第１編集部と第２編集部の双方の使用を可能とするよう設定する請求項１記載の写真プリント提供装置。
【請求項３】
装置の故障により第１編集部と第２編集部のいずれかに異常があることを検出する異常検出手段をさらに備え、上記設定手段は、上記異常検出手段が第１編集部と第２編集部のいずれかに異常を検出した場合に異常がない方のみを使用可能とするよう設定する請求項１または２記載の写真プリント提供装置。
【請求項４】
上記設定手段の設定に基づいて使用可能と設定された編集部へ利用者を誘導する誘導手段を備えている請求項１〜３のいずれか一項に記載の写真プリント提供装置。
【請求項５】
使用者を含む被写体を撮影するカメラを有する撮影部と、
上記撮影部とそれぞれ異なる場所に配置され、上記撮影部で撮影された撮影画像に対する編集入力を受け付ける編集入力受付手段を有する第１編集部および第２編集部とを備えた装置による写真プリント提供方法であって、
上記第１編集部と第２編集部のいずれか一方のみを使用可能とするよう設定する設定ステップを実行することを特徴とする写真プリント提供方法。
【請求項６】
使用者を含む被写体を撮影するカメラを有する撮影部と、
上記撮影部とそれぞれ異なる場所に配置され、上記撮影部で撮影された撮影画像に対する編集入力を受け付ける編集入力受付手段を有する第１編集部および第２編集部とを備えた装置による写真プリント提供プログラムであって、
上記第１編集部と第２編集部のいずれか一方のみを使用可能とするよう設定する設定ステップをコンピュータ装置に実行させることを特徴とする写真プリント提供プログラム。
【手続補正２】
【補正対象書類名】明細書
【補正対象項目名】００１３
【補正方法】変更
【補正の内容】
【００１３】
本発明は、第１編集部または第２編集部のいずれかが使用できないときに、装置全体の稼動を止めることなく片側の編集部だけで運営可能な写真プリント提供装置、写真プリント提供方法および写真プリント提供プログラムの提供を目的とする。
【手続補正３】
【補正対象書類名】明細書
【補正対象項目名】００１４
【補正方法】変更
【補正の内容】
【００１４】
上記目的を達成するため、本発明の写真プリント提供装置は、使用者を含む被写体を撮影するカメラを有する撮影部と、
上記撮影部とそれぞれ異なる場所に配置され、上記撮影部で撮影された撮影画像に対する編集入力を受け付ける編集入力受付手段を有する第１編集部および第２編集部とを備えた写真プリント提供装置であって、
上記第１編集部と第２編集部のいずれか一方のみを使用可能とするよう設定する設定手段を備えたことを要旨とする。
【手続補正４】
【補正対象書類名】明細書
【補正対象項目名】００１５
【補正方法】変更
【補正の内容】
【００１５】
また、上記目的を達成するため、本発明の写真プリント提供方法は、使用者を含む被写体を撮影するカメラを有する撮影部と、
上記撮影部とそれぞれ異なる場所に配置され、上記撮影部で撮影された撮影画像に対する編集入力を受け付ける編集入力受付手段を有する第１編集部および第２編集部とを備えた装置による写真プリント提供方法であって、
上記第１編集部と第２編集部のいずれか一方のみを使用可能とするよう設定する設定ステップを実行することを要旨とする。
【手続補正５】
【補正対象書類名】明細書
【補正対象項目名】００１６
【補正方法】変更
【補正の内容】
【００１６】
また、上記目的を達成するため、本発明の写真プリント提供プログラムは、使用者を含む被写体を撮影するカメラを有する撮影部と、
上記撮影部とそれぞれ異なる場所に配置され、上記撮影部で撮影された撮影画像に対する編集入力を受け付ける編集入力受付手段を有する第１編集部および第２編集部とを備えた装置による写真プリント提供プログラムであって、
上記第１編集部と第２編集部のいずれか一方のみを使用可能とするよう設定する設定ステップをコンピュータ装置に実行させることを要旨とする。
【手続補正６】
【補正対象書類名】明細書
【補正対象項目名】００１７
【補正方法】変更
【補正の内容】
【００１７】
すなわち、本発明によれば、上記第１編集部と第２編集部のいずれか一方のみを使用可能とする設定が可能なため、第１編集部または第２編集部のいずれかが使用できないときに、装置全体の稼動を止めることなく片側の編集部だけで運営が可能である。
【手続補正７】
【補正対象書類名】明細書
【補正対象項目名】００１８
【補正方法】変更
【補正の内容】
【００１８】
本発明において、上記設定手段は、さらに第１編集部と第２編集部の双方の使用を可能とするよう設定する場合には、例えば、片側の編集部が故障から復帰した際に再稼動させることができる。
【手続補正８】
【補正対象書類名】明細書
【補正対象項目名】００１９
【補正方法】変更
【補正の内容】
【００１９】
本発明において、装置の故障により第１編集部と第２編集部のいずれかに異常があることを検出する異常検出手段をさらに備え、上記設定手段は、上記異常検出手段が第１編集部と第２編集部のいずれかに異常を検出した場合に異常がない方のみを使用可能とするよう設定する場合には、第１編集部または第２編集部のいずれかの装置が故障等で稼動できないときに、装置全体の稼動を止めることなく運営が可能である。
【手続補正９】
【補正対象書類名】明細書
【補正対象項目名】００２０
【補正方法】変更
【補正の内容】
【００２０】
本発明において、上記設定手段の設定に基づいて使用可能と設定された編集部へ利用者を誘導する誘導手段を備えている場合には、撮影が終了した使用者は、第１編集部および第２編集部のうち、どちらの編集部へ移動してよいか迷わずに移動することができる。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】